(57)【要約】【課題】鋏などの工具を用いずに引き裂いて切断できるチューブを提供することを課題とする。【解決手段】チューブ本体の外周面に、外周に沿って引き裂き窪みを形成して該チューブ本体を頭部側部分と、尾部側部分とに分け、該尾部側部分の外周面には、外周上の対向する位置に、それぞれ該引き裂き窪みから尾部に向かって切開窪みを形成し、該チューブ本体に充填、封入された内容物の残量が少なくなった場合、該内容物を取り出せるように、該チューブ本体を該引き裂き窪みから手で引き裂いて切断し、かつ該尾部側部分を該切開窪みから切開して、該頭部側部分の開口部を覆う蓋部とすることができるように構成する。【選択図】  図１
0003150677.tif 000002
【実用新案登録請求の範囲】
【請求項１】
チューブ本体の外周面に、外周に沿って引き裂き窪みを形成して該チューブ本体を頭部側部分と、尾部側部分とに分け、
該尾部側部分の外周面には、外周上の対向する位置に、それぞれ該引き裂き窪みから尾部に向かって切開窪みを形成し、
該チューブ本体に充填、封入された内容物の残量が少なくなった場合、該内容物を取り出せるように、該チューブ本体を該引き裂き窪みから手で引き裂いて切断し、かつ該尾部側部分を該切開窪みから切開して、該頭部側部分の開口部を覆う蓋部とすることができるように構成することを特徴とする切断構造を有するチューブ。
【請求項２】
前記引き裂き窪みと、該切開窪みとが、所定の大きさの窪みを所定の間隔で複数形成してなる点線状であることを特徴とする請求項１に記載の切断構造を有するチューブ。
【請求項３】
前記引き裂き窪みと、該切開窪みとが、それぞれ直線状に形成されることを特徴とする請求項１に記載の切断構造を有するチューブ。
【考案の詳細な説明】
【技術分野】
【０００１】
この考案はチューブに関し、特に充填・封入した内容物を押し出して使用するための容器としてのチューブであって、かつチューブを容易に引き裂いて切断できる構造を具えたチューブに関する。
【背景技術】
【０００２】
一般に、練り歯磨き、洗顔クリーム、クリーム状リンス、軟膏などはチューブに充填して封入する。これらを使用する場合は、一方の手でチューブを圧迫し、他方の手で出てくる内容物を受ける。チューブ内の内容物が僅かな量となった場合、残留した内容物を出すことが難しくなる。この状態に至ると、使用者個人の習慣によって取り扱いが異なる。人によっては直接該チューブを投棄する。しかし、係る処理は物質の浪費となり、かつ環境汚染の問題に繋がる。また、ひとによっては、鋏、もしくはその他工具を利用して該チューブを剪断、切断し、残留する内容物を取り出して使用する。しかし、係る処理は面倒で、不便である。
【考案の開示】
【考案が解決しようとする課題】
【０００３】
この考案は、鋏などの工具を用いずに引き裂いて切断できるチューブを提供することを課題とする。
【課題を解決するための手段】
【０００４】
そこで、本考案者は従来のチューブに見られる前記欠点に鑑み鋭意研究を重ねた結果、チューブ本体の外周面に窪みを形成し、該窪みからチューブ本体を手で引き裂いて切断できるように形成したチューブによって課題を解決できる点に着眼し、かかる知見に基づいて本考案を完成させた。
以下この考案について具体的に説明する。
【０００５】
請求項１に記載する切断構造を有するチューブは、チューブ本体の外周面に、外周に沿って引き裂き窪みを形成して該チューブ本体を頭部側部分と、尾部側部分とに分け、
該尾部側部分の外周面には、外周上の対向する位置に、それぞれ該引き裂き窪みから尾部に向かって切開窪みを形成し、
該チューブ本体に充填、封入された内容物の残量が少なくなった場合、該内容物を取り出せるように、該チューブ本体を該引き裂き窪みから手で引き裂いて切断し、かつ該尾部側部分を該切開窪みから切開して、該頭部側部分の開口部を覆う蓋部とすることができるように構成する。
【０００６】
請求項２に記載する切断構造を有するチューブは、請求項１における引き裂き窪みと、該切開窪みとが、所定の大きさの窪みを所定の間隔で複数形成してなる点線状である。
【０００７】
請求項３に記載する切断構造を有するチューブは、請求項１における引き裂き窪みと、該切開窪みとが、それぞれ直線状に形成される。
【考案の効果】
【０００８】
この考案によれば、チューブに充填、封入された内容物が残り僅かになった場合、従来のチューブのように鋏、もしくはその他工具を用いることなく、手で該チューブを容易に引き裂いて切断することができるため、使用上便利であるとともに、内容物をほぼ完全に利用することができることから資源の浪費を抑え、延いては環境保全に寄与することになる。
【考案を実施するための最良の形態】
【０００９】
この考案は鋏などの工具を用いずに引き裂いて切断できるチューブを提供するものであって、チューブの外周面に、外周に沿って引き裂き窪みを形成する。係るチューブの構造と特徴を詳述するために、具体的な実施例を挙げ、図面を参照にして以下に説明する。
【実施例】
【００１０】
図１から４に開示するように、この考案によるチューブは、チューブ本体１０の外周面に、外周に沿った所定の位置に引き裂き窪み１１を形成して、チューブ本体１０を頭部側部分１２と。尾部側部分１３との二つの部分に分ける。
【００１１】
図３に開示するように、内容物２１を充填、封入したこの考案のチューブを使用する場合、従来のチューブと同様に、チューブ本体１０を押し圧し、内容物２１を押し出して利用する。内容物２１の残量が少なくなった場合、チューブ本体１０の外周面に形成した引き裂き窪み１１に沿って、手でチューブ本体１０を引き裂いて切断すると、頭部側部分１２の一端に開口部１１１が形成され、開口部１１１から内容物２１を取り出し、継続して利用することができる。
【００１２】
別途、チューブ本体１０の尾部側部分１３の外周面には、外周上の対向する位置に、それぞれ引き裂き窪み１１から尾部に向かって切開窪み１４を形成する。
【００１３】
図４に開示するように、尾部側部分１３の外周面に形成した切開窪み１４から切開すると、尾部側部分１３が蓋部１３１になり、頭部側部分１２の開口部１１１を覆うことができる。よって、開口部１１１から塵、もしくはその他の異物が進入して内容物２１に付着して汚染することを防ぐ。係る構成は、チューブ本体１０の実用性を高め、かつ付加価値を付与するものである。
【００１４】
上述する引き裂き窪み１１及び切開窪み１４は、所定の大きさの窪みを所定の間隔で複数形成して点線状とするか、もしくは図５に開示するように、引き裂き窪み１１と切開窪み１４とを直線状に形成してもよい。
【００１５】
以上はこの考案の好ましい実施の形態であって、この考案の実施の範囲を限定するものではない。例えば、上述する切開窪みを２本以上形成しても、同様に蓋部１３１を形成して開口部１１１を覆うことができる。よって、当業者の成しえる変更、もしくは修正であって、この考案の精神の下においてなされ、この考案に対して均等の効果を有するものは、いずれもこの考案の実用新案登録請求の範囲に属するものとする。
【図面の簡単な説明】
【００１６】
【図１】この考案によるチューブの外観を示した斜視図である。
【図２】この考案によるチューブの局部を拡大した説明図である。
【図３】この考案によるチューブを引き裂いて切断した状態を示した説明図である。
【図４】この考案におけるチューブを引き裂いて切断し、開口を覆った状態を示した説明図である。
【図５】この考案のチューブにおいて、引き裂き窪みと切開窪みとを直線状に形成した実施の形態を示した説明図である。
【符号の説明】
【００１７】
１０                           チューブ本体
１１                           引き裂き窪み
１１１                         開口部
１２                           頭部側部分
１３                           尾部側部分
１３１                         蓋部
１４                           切開窪み
２１                           内容物
【図１】
0003150677.tif 000003
【図２】
0003150677.tif 000004
【図３】
0003150677.tif 000005
【図４】
0003150677.tif 000006
【図５】
0003150677.tif 000007